(57)【要約】      （修正有）【課題】小型化，携帯性の要求に充分に応えることのできる音響装置を提供する。【解決手段】イヤホン機器１と携帯用電子機器２とからなり、イヤホン機器１は、使用者の耳に装着されるイヤホン１２と、使用者の音声を吸音するマイクロホン１５と、携帯用電子機器２に接続されるジャック１１と、イヤホン１２，マイクロホン１５とジャック１１とを接続するコードとを備えている。携帯用電子機器２は、記憶されている画像信号と音声信号とを出力し入力された音声信号を再び出力する制御部２１と、制御部２１に接続され画像信号を表示する表示部２２と、制御部２１に接続され音声信号を入出力する音声端子２３とを備えている。【選択図】図１
0003216150.tif 000002
【実用新案登録請求の範囲】
【請求項１】
イヤホン機器と携帯用電子機器とからなり、イヤホン機器は、使用者の耳に装着されるイヤホンと、使用者の音声を吸音するマイクロホンと、携帯用電子機器に接続されるジャックと、イヤホン，マイクロホンとジャックとを接続するコードとを備え、携帯用電子機器は、記憶されている画像信号と音声信号とを出力し入力された音声信号を再び出力する制御部と、制御部に接続され画像信号を表示する表示部と、制御部に接続され音声信号を入出力する音声端子とを備えていることを特徴とする音響装置。
【請求項２】
請求項１の音響装置において、携帯用電子機器の制御部は画像信号として歌の歌詞が記憶され音声信号として歌の伴奏が記憶されていることを特徴とする音響装置。
【考案の詳細な説明】
【技術分野】
【０００１】
本考案は、使用者の音声を組込むことを可能にする音響装置に係る技術分野に属する。
【背景技術】
【０００２】
使用者の音声を組込む音響装置としては、例えば、伴奏の音楽に使用者の音声（歌唱）を組込むカラオケ装置がある。このカラオケ装置では、音楽の音源として利用することのできるスマートホンやタブレットの普及によって、小型化，携帯性が要求されるようになってきている。
【０００３】
従来、小型化，携帯性の要求に応える音響装置としては、例えば、特許文献１に記載のものが知られている。
【０００４】
特許文献１には、音楽再生のためのスマートホン，タブレット等の携帯用電子機器と、イヤホン，マイクロホンとの間に、アンプ等を内蔵したユニットを接続してなる音響装置が記載されている。
【０００５】
特許文献１に係る音響装置は、携帯用電子機器で再生された音楽の伴奏をユニットを介してイヤホンで聴くとともに、音楽の伴奏に合わせた歌唱をマイクロホンに吸音させてユニットを介してイヤホンで聴くことができるようにしたもので、大型の機器類の接続を不要にして小型化，携帯性の要求に応えるものである。
【先行技術文献】
【特許文献】
【０００６】
【特許文献１】特開２０１５−１８０７８号公報
【考案の概要】
【考案が解決しようとする課題】
【０００７】
特許文献１に係る音響装置では、アンプ等を内蔵したユニットを必要とするため、小型化，携帯性の要求に充分に応えることができないという問題点がある。
【０００８】
本考案は、このような問題点を考慮してなされたもので、小型化，携帯性の要求に充分に応えることのできる音響装置を提供することを課題とする。
【課題を解決するための手段】
【０００９】
前述の課題を解決するため、本考案に係る音響装置は、実用新案登録請求の範囲の各請求項に記載の手段を採用する。
【００１０】
即ち、請求項１では、イヤホン機器と携帯用電子機器とからなり、イヤホン機器は、使用者の耳に装着されるイヤホンと、使用者の音声を吸音するマイクロホンと、携帯用電子機器に接続されるジャックと、イヤホン，マイクロホンとジャックとを接続するコードとを備え、携帯用電子機器は、記憶されている画像信号と音声信号とを出力し入力された音声信号を再び出力する制御部と、制御部に接続され画像信号を表示する表示部と、制御部に接続され音声信号を入出力する音声端子とを備えていることを特徴とする。
【００１１】
この手段では、特許文献１に係る音響装置のユニットの機能を携帯用電子機器に備えることで、ユニットの接続を省略することができる。
【００１２】
また、請求項２では、請求項１の音響装置において、携帯用電子機器の制御部は画像信号として歌の歌詞が記憶され音声信号として歌の伴奏が記憶されていることを特徴とする。
【００１３】
この手段では、携帯用電子機器の表示部に表示される歌の歌詞を見ながら、イヤホン機器のイヤホンで歌の伴奏を聴き、使用者が歌唱をマイクロホンから吸音させることで、イヤホン機器のイヤホンから歌の伴奏と自分の歌唱とを聴くことができる。
【考案の効果】
【００１４】
本考案に係る音響装置は、特許文献１に係る音響装置のユニットの機能を携帯用電子機器に備えることで、ユニットの接続を省略することができるため、小型化，携帯性の要求に充分に応えることができる効果がある。
【００１５】
さらに、請求項２として、携帯用電子機器の表示部に表示される歌の歌詞を見ながら、イヤホン機器のイヤホンで歌の伴奏を聴き、使用者が歌唱をマイクロホンから吸音させることで、イヤホン機器のイヤホンから歌の伴奏と歌唱とを聴くことができるため、カラオケ装置としての利用に好適となる効果がある。
【図面の簡単な説明】
【００１６】
【図１】本考案に係る音響装置を実施するための第１例の一部を省略した全体の斜視図である。
【図２】図１の要部のブロック図である。
【図３】図１の使用状態を示す要部の側面図である。
【図４】本考案に係る音響装置を実施するための第２例の一部を省略した全体の斜視図である。
【考案を実施するための形態】
【００１７】
以下、本考案に係る音響装置を実施するための形態を図面に基づいて説明する。
【００１８】
図１〜図３は、本考案に係る音響装置を実施するための形態の第１例を示すものである。
【００１９】
第１例は、図１に示すように、イヤホン機器１と携帯用電子機器２とからなる。
【００２０】
イヤホン機器１は、ジャック１１，イヤホン１２，コード１３，マイクロホン用コード１４，マイクロホン１５からなる。
【００２１】
イヤホン機器１のジャック１１は、携帯用電子機器２に挿入されることでイヤホン１２，マイクロホン１５の双方を携帯用電子機器２に電気的に接続するピンタイプからなる。
【００２２】
イヤホン機器１のイヤホン１２は、携帯用電子機器２から出力される音声信号を発声して使用者Ｍに聴かせるもので、使用者Ｍの両耳穴にそれぞれ挿入されて装着される１対からなる。
【００２３】
イヤホン機器１のコード１３は、音声信号を伝送するもので、一端部にジャック１１に接続されたメインコード１３ａと、メインコード１３ａの中途部で２本に分岐されたイヤホン用コード１３ｂとからなる。メインコード１３ａとイヤホン用コード１３ｂとの間のには、中継部１３ｃが設けられている。メインコード１３ａは、携帯用電子機器２に対して入出力される音声信号を伝送するものである。各イヤホン用コード１３ｂは、携帯用電子機器２から出力される音声信号を伝送するもので、端末にそれぞれ前述のイヤホン１２が接続されている。
【００２４】
イヤホン機器１のマイクロホン用コード１４は、コード１３のメインコード１３ａからのイヤホン用コード１３ｂへの分岐部である中継部１３ｃで分岐され延長されたもので、携帯用電子機器２に入力される音声信号を伝送する。このマイクロホン用コード１４の端末には、後述のマイクロホン１５が接続される。
【００２５】
イヤホン機器１のマイクロホン１５は、使用者Ｍが手で掴むことのできる把手部１５ａと、使用者Ｍの音声Ｖを吸音する吸音部１５ｂとからなる。把手部１５ａの端部には、マイクロホン用コード１４が接続されている。吸音部１５ｂには、特定の方向（マイクロホン１５の軸方向）から伝播する音声Ｖを主に吸音する指向性を有する構造を備えている。
【００２６】
携帯用電子機器２は、図２に詳細に示されるように、制御部２１，表示部２２，音声端子２３からなる。
【００２７】
携帯用電子機器２の制御部２１は、記憶されている画像信号ａと音声信号ｂとを出力し入力された音声信号ｃを再び出力するもので、ＣＰＵ，記憶装置等で構成されている。記憶された画像信号ａとしては、例えば、歌の歌詞や歌のイメージ映像が挙げられる。記憶された音声信号ｂとしては、例えば、歌の伴奏が挙げられる。また、入力された音声信号ｃとしては、イヤホン機器１のマイクロホン１５で吸音された音声信号となる。なお、記憶されている画像信号ａ，音声信号ｂについては、通信等によって一時的に記憶されるものでも差支えない。また、この携帯用電子機器２については、スマートホン，タブレット等を利用することができる。
【００２８】
携帯用電子機器２の表示部２２は、制御部２１に接続され画像信号ａを表示するもので、液晶画面等からなる。
【００２９】
携帯用電子機器２の音声端子２３は、制御部２１に接続され音声信号ｂ，ｃを入出力するもので、スリーブ形からなる。
【００３０】
第１例によると、図３に示すように、イヤホン機器１のイヤホン１２を使用者Ｍの耳に装着し、イヤホン機器１のマイクロホン１５を把手部１５ａを掴むことによりマイクロホン用コード１４の長さを利用して使用者Ｍの口付近に位置させ、マイクロホン１５の吸音部１５ｂを使用者Ｍの口に向けて使用することになる。
【００３１】
このように使用することによって、使用者Ｍの音声Ｖがイヤホン機器１のマイクロホン１５の指向性を有する吸音部１５ｂから雑音が吸音されることなく確実に吸音される。また、使用者Ｍが掴んだイヤホン機器１のマイクロホン１５を把手部１５ａの角度を調整することによって、マイクロホン１５の吸音部１５ｂからの使用者Ｍの音声Ｖの吸音をより精密にすることができる。従って、雑音を嫌うカラオケや語学学習（発音練習）に携帯用電子機器を利用するのに好適となる。
【００３２】
例えば、カラオケとしての利用では、携帯用電子機器２の表示部２２に表示されている歌の歌詞を見ながら、イヤホン機器１のイヤホン１２で歌の伴奏を聴き、使用者Ｍが歌唱をマイクロホンから吸音させることで、イヤホン機器１のイヤホン１２から歌の伴奏と歌唱とを聴くことができることになる。
【００３３】
即ち、第１例によると、特許文献１に係る音響装置のユニットの機能を携帯用電子機器２に備えることで、ユニットの接続を省略することができるため、小型化，携帯性の要求に充分に応えることができる。
【００３４】
図４は、本考案に係る音響装置を実施するための形態の第２例を示すものである。
【００３５】
第２例は、第１例について、イヤホン機器１のコード１３のメインコード１３ａからのイヤホン用コード１３ｂへの分岐部である中継部１３ｃで分岐され延長されたスピーカ用コード１６と、スピーカ用コード１６の端末に接続され携帯用電子機器２から出力される音声信号ｂ，ｃを発声するスピーカ１７とが追加されている。
【００３６】
第２例によると、携帯用電子機器２から出力される音声信号ｂ，ｃがイヤホン機器１のスピーカ１７から発声されるため、イヤホン機器１のイヤホン１２以外でも携帯用電子機器２から出力される音声信号ｂ，ｃを聴くことができる。従って、他の用途にも利用が拡張される。例えば英語の勉強において第三者も使用者の音声を聞くことができるのでその発音の良否をチェックすることができる。
【００３７】
以上、図示した各例の外に、暗所での使用に適用するため、マイクロホン５にライト（ＬＥＤ）を組込むことも可能である。
【００３８】
さらに、イヤホン２，マイクロホン５を２個（２組）以上設けることも可能である。
【符号の説明】
【００３９】
１            イヤホン機器
１１          ジャック
１２          イヤホン
１３          コード
１４          マイクロホン用コード
１５          マイクロホン
２            携帯用電子機器
２１          制御部
２２          表示部
２３          音声端子
Ｍ            使用者
Ｖ            音声
ａ            画像信号
ｂ，ｃ        音声信号
【図１】
0003216150.tif 000003
【図２】
0003216150.tif 000004
【図３】
0003216150.tif 000005
【図４】
0003216150.tif 000006